(57)【要約】    【課題】  ウェブブラウザを機器の制御画面に利用し、入力操作の簡易化を図ることができる画像形成装置及び画像形成方法並びに画像形成装置制御用プログラムを提供する。    【解決手段】  データベースサーバ２００とネットワーク３００を介して接続される複合機１００において、複合機の制御用の設定ページデータの読み出し指示がデータベースサーバ２００に送信され、この読み出し指示に応じてデータベースサーバ２００から送信される設定ページデータが受信され、この受信された設定ページデータが表示部３００のウェブブラウザに表示され、ウェブブラウザに表示された設定ページデータ上で複合機１００の制御用の設定が入力される。【選択図】      図１
2006053905.tif 000002
【特許請求の範囲】
【請求項１】
サーバとネットワークを介して接続される画像形成装置において、
前記画像形成装置の制御用の設定ページデータの読み出し指示を前記サーバに送信する送信手段と、
前記読み出し指示に応じて前記サーバから送信される前記設定ページデータを受信する受信手段と、
前記受信された設定ページデータをウェブブラウザに表示する表示手段と、
前記ウェブブラウザに表示された設定ページデータ上で前記画像形成装置の制御用の設定を入力する入力手段と
を備えることを特徴とする画像形成装置。
【請求項２】
前記入力手段による入力に応じて前記サーバから送信される前記画像形成装置の制御用データを取得すべきであるか否かを判別する判別手段と、
前記サーバから前記画像形成装置の前記制御用データを取得すべきであると判別されたときに、前記サーバから前記画像形成装置の制御用データを取得する取得手段と、
前記取得された前記画像形成装置の制御用データに基づいて前記画像形成装置を制御する制御手段と
を備えることを特徴とする請求項１記載の画像形成装置。
【請求項３】
前記表示手段に表示される前記ウェブブラウザとネイティブ画面とを切り換える表示切換手段を備えることを特徴とする請求項１又は２記載の画像形成装置。
【請求項４】
前記画像形成装置は、プリンタ機能、ファクシミリ機能、及びスキャナ機能を備える複合機であり、前記複合機はモードメモリを備え、前記画像形成装置の制御用データは当該モードメモリの登録や設定に関するデータ、又はコピーモードの設定に関するデータであることを特徴とする請求項１乃至３のいずれか１項記載の画像形成装置。
【請求項５】
画像形成装置の制御用の設定ページデータを格納する記憶手段と、
前記設定ページデータの読み出し指示を入力する読み出し指示入力手段と、
前記設定ページデータをウェブブラウザに表示する表示手段と、
前記入力された読み出し指示に基づいて、前記表示手段のウェブブラウザに前記設定ページデータを表示させる制御手段と、
前記ウェブブラウザに表示された設定ページデータ上で前記画像形成装置の制御用の設定を入力する設定入力手段と
を備えることを特徴とする画像形成装置。
【請求項６】
サーバとネットワークを介して接続される画像形成装置に適用される画像形成方法において、
前記画像形成装置の制御用の設定ページデータの読み出し指示を前記サーバに送信する送信ステップと、
前記読み出し指示に応じて前記サーバから送信される前記設定ページデータを受信する受信ステップと、
前記受信された設定ページデータをウェブブラウザに表示する表示ステップと、
前記ウェブブラウザに表示された設定ページデータ上で前記画像形成装置の制御用の設定を入力する入力ステップと
を備えることを特徴とする画像形成方法。
【請求項７】
画像形成装置の制御用の設定ページデータを格納する記憶手段と、前記設定ページデータをウェブブラウザに表示する表示手段とを備える画像形成装置に適用される画像形成方法において、
前記設定ページデータの読み出し指示を入力する読み出し指示入力ステップと、
前記入力された読み出し指示に基づいて、前記表示手段のウェブブラウザに前記設定ページデータを表示させる制御ステップと、
前記ウェブブラウザに表示された設定ページデータ上で前記画像形成装置の制御用の設定を入力する設定入力ステップと
を備えることを特徴とする画像形成方法。
【請求項８】
サーバとネットワークを介して接続される画像形成装置で実行される画像形成装置制御用プログラムにおいて、
前記画像形成装置の制御用の設定ページデータの読み出し指示を前記サーバに送信する送信モジュールと、
前記読み出し指示に応じて前記サーバから送信される前記設定ページデータを受信する受信モジュールと、
前記受信された設定ページデータをウェブブラウザに表示する表示モジュールと、
前記ウェブブラウザに表示された設定ページデータ上で前記画像形成装置の制御用の設定を入力する入力モジュールと
を備えることを特徴とする画像形成装置制御用プログラム。
【請求項９】
画像形成装置の制御用の設定ページデータを格納する記憶手段と、前記設定ページデータをウェブブラウザに表示する表示手段とを備える画像形成装置で実行される画像形成装置制御用プログラムにおいて、
前記設定ページデータの読み出し指示を入力する読み出し指示入力モジュールと、
前記入力された読み出し指示に基づいて、前記表示手段のウェブブラウザに前記設定ページデータを表示させる制御モジュールと、
前記ウェブブラウザに表示された設定ページデータ上で前記画像形成装置の制御用の設定を入力する設定入力モジュールと
を備えることを特徴とする画像形成装置制御用プログラム。
【発明の詳細な説明】
【技術分野】
【０００１】
ウェブブラウザ上で制御内容の設定をすることができる画像形成装置及び画像形成方法並びに画像形成装置制御用プログラムに関する。
【背景技術】
【０００２】
従来より、ウェブブラウザを表示可能にした操作部を備える画像形成装置は知られている。この種の画像形成装置では、操作部にウェブブラウザを表示し、ブラウジングやネットサーフィンができる（例えば、特許文献１参照）。
【特許文献１】特開２００３−１２２２７９号公報
【発明の開示】
【発明が解決しようとする課題】
【０００３】
しかしながら、上記画像形成装置では、画像形成装置が備える各種機能と独立してコンテンツの表示が行えるだけであり、さらに、ウェブブラウザの表示中は、画像形成装置が備える各種機能の動作制御ができなくなるという問題があった。
【０００４】
本発明の目的は、ウェブブラウザを機器の制御画面に利用し、入力操作の簡易化を図ることができる画像形成装置及び画像形成方法並びに画像形成装置制御用プログラムを提供することにある。
【課題を解決するための手段】
【０００５】
上記目的を達成するため、請求項１記載の画像形成装置は、サーバとネットワークを介して接続される画像形成装置において、前記画像形成装置の制御用の設定ページデータの読み出し指示を前記サーバに送信する送信手段と、前記読み出し指示に応じて前記サーバから送信される前記設定ページデータを受信する受信手段と、前記受信された設定ページデータをウェブブラウザに表示する表示手段と、前記ウェブブラウザに表示された設定ページデータ上で前記画像形成装置の制御用の設定を入力する入力手段とを備えることを特徴とする。
【０００６】
請求項５記載の画像形成装置は、画像形成装置の制御用の設定ページデータを格納する記憶手段と、前記設定ページデータの読み出し指示を入力する読み出し指示入力手段と、前記設定ページデータをウェブブラウザに表示する表示手段と、前記入力された読み出し指示に基づいて、前記表示手段のウェブブラウザに前記設定ページデータを表示させる制御手段と、前記ウェブブラウザに表示された設定ページデータ上で前記画像形成装置の制御用の設定を入力する設定入力手段とを備えることを特徴とする。
【０００７】
請求項６記載の画像形成方法は、サーバとネットワークを介して接続される画像形成装置に適用される画像形成方法において、前記画像形成装置の制御用の設定ページデータの読み出し指示を前記サーバに送信する送信ステップと、前記読み出し指示に応じて前記サーバから送信される前記設定ページデータを受信する受信ステップと、前記受信された設定ページデータをウェブブラウザに表示する表示ステップと、前記ウェブブラウザに表示された設定ページデータ上で前記画像形成装置の制御用の設定を入力する入力ステップとを備えることを特徴とする。
【０００８】
請求項７記載の画像形成方法は、画像形成装置の制御用の設定ページデータを格納する記憶手段と、前記設定ページデータをウェブブラウザに表示する表示手段とを備える画像形成装置に適用される画像形成方法において、前記設定ページデータの読み出し指示を入力する読み出し指示入力ステップと、前記入力された読み出し指示に基づいて、前記表示手段のウェブブラウザに前記設定ページデータを表示させる制御ステップと、前記ウェブブラウザに表示された設定ページデータ上で前記画像形成装置の制御用の設定を入力する設定入力ステップとを備えることを特徴とする。
【０００９】
請求項８記載の画像形成装置制御用プログラムは、サーバとネットワークを介して接続される画像形成装置で実行される画像形成装置制御用プログラムにおいて、前記画像形成装置の制御用の設定ページデータの読み出し指示を前記サーバに送信する送信モジュールと、前記読み出し指示に応じて前記サーバから送信される前記設定ページデータを受信する受信モジュールと、前記受信された設定ページデータをウェブブラウザに表示する表示モジュールと、前記ウェブブラウザに表示された設定ページデータ上で前記画像形成装置の制御用の設定を入力する入力モジュールとを備えることを特徴とする。
【００１０】
請求項９記載の画像形成装置制御用プログラムは、画像形成装置の制御用の設定ページデータを格納する記憶手段と、前記設定ページデータをウェブブラウザに表示する表示手段とを備える画像形成装置で実行される画像形成装置制御用プログラムにおいて、前記設定ページデータの読み出し指示を入力する読み出し指示入力モジュールと、前記入力された読み出し指示に基づいて、前記表示手段のウェブブラウザに前記設定ページデータを表示させる制御モジュールと、前記ウェブブラウザに表示された設定ページデータ上で前記画像形成装置の制御用の設定を入力する設定入力モジュールとを備えることを特徴とする。
【発明の効果】
【００１１】
本発明によれば、画像形成装置の制御用の設定ページデータを表示すると共に、その設定ページデータの表示によりウェブブラウザ上で画像形成装置の制御用の各種の設定ができるので、ウェブブラウザを画像形成装置の制御画面に利用し、入力操作の簡易化を図ることができる。また、ネイティブ画面では表現できないような多彩な画面でもウェブブラウザで表示できる。また、入力操作の視認性が向上するため、入力操作の簡易化を図ることができる。
【発明を実施するための最良の形態】
【００１２】
以下、図１〜９を参照して本発明の実施の形態を説明する。
【００１３】
図１は、本発明の実施の形態に係る画像形成装置を含むシステムの構成図である。
【００１４】
本発明の実施の形態に係る画像形成装置は複合機１００であり、このシステムはネットワーク３００に接続された複合機１００及びデータベースサーバ２００を備えている。
【００１５】
複合機１００は、ネットワーク接続部１１０（送信手段、受信手段）、ウェブブラウザ表示部１２０、表示部１３０（表示手段）、表示切替部１４０、複合機コントローラ１５０（制御手段）、キー入力部１６０（入力手段、読み出し指示入力手段、設定入力手段）、スキャナ１７０、プリンタ１８０及びネイティブ画面表示部１９０を備えている。
【００１６】
ネットワーク接続部１１０は、ネットワーク３００に接続し、複合機１００とネットワーク３００の間のデータのやり取りを行っている。ウェブブラウザ表示部１２０は、ネットワーク３００からのデータを表示切替部１４０を介して表示部１３０に表示する。表示部１３０は、表示切替部１４０により表示するものを切り換えることができ、ウェブブラウザ表示部１２０からのデータを表示し、又はネイティブ画面表示部１９０を介して複合機コントローラ１５０のデータを表示する。
【００１７】
複合機コントローラ１５０は、複合機１００の全体の動作を制御しており、キー入力部１６０からの入力に応じて、複合機１００の設定や動作開始の指示を実行する。さらに、複合機コントローラ１５０は、キー入力部１６０からの入力に応じて、ネイティブ画面表示部１９０に複合機の表示データを送信して表示させること、スキャナ１７０からのスキャン情報の受信、及びプリンタ１８０へのプリントデータの送信を実行する。
【００１８】
キー入力部１６０は、テンキーやタッチパネル等で構成されており、ユーザからのデータ入力を受信する。スキャナ１７０は、画像を走査して画像入力データを作成し、プリンタ１８０は、画像出力データを出力紙にプリントする。ネイティブ画面表示部１９０はコントローラ１５０からの指示により複合機１００の操作画面を表示する。また、複合機１００は不図示のファクシミリ部を備えており、ファクシミリ通信を実行することができる。
【００１９】
また、複合機１００は不図示のモードメモリを備えている。モードメモリとは、ユーザ設定モード、オリジナルモード、コピーモード、プリンタモード、ファクシミリモード等のモードに応じて領域が割り当てられているメモリである。このモードメモリの領域や設定内容は、適宜キー入力部１６０を介してユーザが変更できる。
【００２０】
一方、データベースサーバ２００は、ネットワーク接続部２１０、サーバコントローラ２２０、コンテンツデータベース２３０及び動作制御用データベース２４０を備えている。
【００２１】
ネットワーク接続部２１０は、ネットワーク３００を介してデータベースサーバ２００との間でデータ通信を実行する。
【００２２】
サーバコントローラ２２０は、ネットワーク接続部２１０経由で受信したデータを解析してデータベースサーバ２００の全体動作を決定する。また、サーバコントローラ２２０はコンテンツデータベース２３０や動作制御用データベース２４０にアクセスしてデータを取り出し、ネットワーク接続部２１０を経由してデータを複合機１００に送信する。
【００２３】
コンテンツデータベース２３０は、ウェブブラウザ表示部１２０を介して表示部１３０で表示されるコンテンツが格納され、複合機１００から要求されたデータを読み出し、該読み出されたデータをウェブブラウザ表示部１２０に送信する。
【００２４】
動作制御用データベース２４０は、複合機１００用の制御データが格納されており、サーバコントローラ２２０により格納されたり、読み出される。
【００２５】
図２は、図１の複合機１００の断面図である。
【００２６】
図１の複合機１００は、リーダ部１０００及びプリンタ部２０００を備えている。
【００２７】
まず、リーダ部１０００は、載置された原稿をプラテンガラス１０２に搬送する原稿搬送装置１１０１と、搬送された原稿を読み取る際に使用するプラテンガラス１１０２とを備えている。
【００２８】
更に、リーダ部１０００は、プラテンガラス１１０２の上に置かれた原稿を照射するランプ１１０３を有しており、このランプ１１０３の光により当該原稿を走査するスキャナユニット１１０４と、スキャナユニット１１０４の露光走査により生じる原稿の反射光をＣＣＤイメージセンサ（以下、「ＣＣＤ」という）１１０９に導くミラー１１０５，１１０６，１１０７及びレンズ１１０８と、原稿の反射光を画像データに変換するＣＣＤ１１０９とを備えている。
【００２９】
また、プリンタ部２０００は、リーダ部１０００から受信した画像データに対応したレーザ光を発光するレーザ発光部２２０１と、レーザ発光部２２０１を駆動するレーザドライバ２２１１と、レーザ光に照射され潜像を形成する感光ドラム２２０２と、感光ドラム２２０２上に形成された潜像に現像剤を付着させる現像器２２０３と、感光ドラム２２０２に付着された現像剤を記録用紙に転写する転写部２２０６と、転写部２２０６に給紙する記録用紙を積載する給紙カセット２２０４，２２０５とを備えている。
【００３０】
またプリンタ部２０００は、不図示の外部装置からネットワークを介して入力された画像データを処理するプリンタ制御部２２３０を備えている。プリンタ制御部２２３０は、処理した画像データに応じてレーザ発光部２２０１を駆動し、発光させることができる。
【００３１】
更に、プリンタ部２０００は、転写部２２０６より搬送される記録用紙の現像剤を熱と圧力により記録用紙に定着させる定着部２２０７と、定着部２２０７を通過した記録用紙を外部に排出する排出ローラ２２０８と、排出された記録用紙をそれぞれのビンに収納して記録用紙の仕分けを行うソータ２２２０と、両面記録又は多重記録のために記録用紙を再給紙搬送路２２１０へ導くフラッパ２２０９と、転写部２２０６へ再び記録用紙を搬送する再給紙搬送路２２１０とを備えている。
【００３２】
次いで、リーダ部１０００及びプリンタ部２０００の動作について詳述する。リーダ部１の原稿搬送装置１１０１は載置された原稿を最終頁から順に１枚ずつプラテンガラス１１０２上へ搬送し、原稿の読み取り動作終了後、プラテンガラス１１０２上の原稿を排出する。このとき、原稿がプラテンガラス１１０２上に搬送されると、ランプ１１０３を点灯し、そしてスキャナユニット１０４の移動を開始させて、原稿を露光走査する。この時の原稿からの反射光は、ミラー１１０５，１１０６，１１０７、及びレンズ１１０８によってＣＣＤ１１０９へ到達する。ＣＣＤ１１０９は原稿からの反射光を読み取り、画像データに変換する。ＣＣＤ１１０９から出力される画像データは、所定の処理が施された後、プリンタ部２及び画像入出力制御部３へ送信される。
【００３３】
レーザ発光部２２０１はリーダ部１０００から受信した画像データに対応したレーザ光を発光する。このレーザ光は感光ドラム２２０２を照射し、レーザ光に対応した潜像を形成する。この感光ドラム２２０２の潜像の部分には現像器２２０３によって現像剤が付着する。そして、レーザ光の照射開始と同期したタイミングで、給紙カセット２２０４及び給紙カセット２２０５のいずれか一方から記録用紙を給紙して転写部２２０６へ搬送し、感光ドラム２２０２に付着された現像剤を記録用紙に転写する。現像剤が転写された記録用紙は定着部２２０７に搬送され、定着部２２０７の熱と圧力により現像剤は記録用紙に定着する。定着部２２０７を通過した記録用紙は排出ローラ２２０８によってソータ２２２０に排出される。
【００３４】
ソータ２２２０は最上ビンとしてサンプルトレイ２４００を備えており、その他に大量の出力された記録紙を積載できるトレイ２５００を備えている。サンプルトレイ２４００とトレイ２５００のいずれに記録紙を排出するかは、フラッパ２６００により切り換えられる。ソータ２２２０では設定により排出される複数枚の記録紙をステイプル止めすることができる。
【００３５】
また、予め両面記録が設定されている場合は、排出ローラ２２０８のところまで記録用紙を搬送した後、排出ローラ２２０８の回転方向を逆転させ、フラッパ２２０９によって記録用紙を再給紙搬送路２２１０へ導く。
【００３６】
予め多重記録が設定されている場合は、記録用紙を排出ローラ２２０８まで搬送しないようにフラッパ２２０９によって記録用紙を再給紙搬送路２２１０へ導く。再給紙搬送路２２１０へ導かれた記録用紙は上述したタイミングで転写部２２０６へ給紙される。
【００３７】
給紙カセットは、給紙カセット２２０４，２２０５の２つに限られず、２つ以上搭載することができる。
【００３８】
図５は、複合機１００の詳細なハードウェア構成を示す図である。
【００３９】
図５において、コントローラユニット２０００は画像入力デバイスであるスキャナ１７０やや画像出力デバイスであるプリンタ１８０と接続し、一方ではＬＡＮ２０１１や公衆回線（ＷＡＮ）２０５１と接続することで、画像情報やデバイス情報の入出力を行う。
【００４０】
コントローラユニット２０００において、ＣＰＵ２００１は、複合機１００全体を制御するコントローラである。ＲＡＭ２００２は、ＣＰＵ２００１が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブであり、システムソフトウェアや画像データ等を格納する。
【００４１】
操作部Ｉ／Ｆ２００６は、操作部２０１２に接続されるインタフェース部であり、操作部２０１２に表示する画像データを操作部２０１２に対して出力する。また、操作部２０１２から本システム使用者が入力した情報を、ＣＰＵ２００１に伝える役割をする。ネットワーク部２０１０はＬＡＮ２０１１に接続し、情報の入出力を行う。モデム２０５０は公衆回線（ＷＡＮ）２０５１に接続し、情報の入出力を行う。ＣＰＵ２００１、ＲＡＭ２００２、ＲＯＭ２００３、ＨＤＤ２００４、操作部Ｉ／Ｆ２００６、ネットワーク部２０１０及びモデム２０５０はシステムバス２００７に接続されている。
【００４２】
イメージバスＩ／Ｆ２００５は、システムバス２００７と画像データを高速で転送する画像バス２００８とを接続し、データ構造を変換するバスブリッジである。画像バス２００８は、ＰＣＩバス又はＩＥＥＥ１３９４で構成される。
【００４３】
ＲＩＰ（ラスターイメージプロセッサ）２０６０はＰＤＬコードをビットマップイメージに展開する。デバイスＩ／Ｆ部２０２０は、画像入出力デバイスであるスキャナ１７０やプリンタ１８０とコントローラユニット２０００を接続し、画像データの同期系／非同期系の変換を行う。スキャナ画像処理部２０８０は、入力画像データに対し補正、加工又は編集を行う。プリンタ画像処理部２０９０は、プリント出力用の画像データに対して補正、解像度変換等を行う。画像回転部２０３０は画像データの回転を行う。画像圧縮部２０４０は、多値画像データはＪＰＥＧで、二値画像画像データはＪＢＩＧ、ＭＭＲ又はＭＨで圧縮伸長処理を実行する。
【００４４】
ＲＩＰ２０６０、デバイスＩ／Ｆ部２０２０、スキャナ画像処理部２０８０、プリンタ画像処理部２０９０、画像回転部２０３０及び画像圧縮部２０４０は、画像バス２００８に接続されている。
【００４５】
図３は、ネイティブ画面表示部１９０又はウェブブラウザ表示部１２０からのデータを表示部１３０で表示する処理を示すフローチャートである。本処理は表示切替部１４０に実行される。
【００４６】
まず、表示切替部１４０が、現在の画面表示がネイティブ画面用か又はウェブブラウザ用のいずれに設定されているかを判別する（ステップＳ３０１）。
【００４７】
ステップＳ３０１の判別の結果、現在の画面表示がネイティブ画面用に設定されている場合には、ネイティブ画面表示部１９０からの表示指示を受信し（ステップＳ３０２）、この表示指示に従い、ネイティブ画面表示部１９０からのデータを表示部１３０に表示し（ステップＳ３０４）、本処理を終了する。
【００４８】
ステップＳ３０１の判別の結果、現在の画面表示がウェブブラウザ用に設定されている場合には、ウェブブラウザ表示部１２０からの表示指示を受信し（ステップＳ３０３）、この表示指示に従い、ウェブブラウザ表示部１２０からのデータを表示部１３０に表示し（ステップＳ３０４）、本処理を終了する。
【００４９】
図６は表示部１３０に表示されるネイティブ画面の一例を示す図であり、図７は表示部１３０に表示されるウェブブラウザの一例を示す図である。
【００５０】
図６のネイティブ画面では、コピーモードの操作が可能である。この画面は、初期画面としての役割も果たすために、シンプルな画面構成が採用されている。図６のウェブブラウザのキー６０１を押下すると、図７のようなウェブブラウザの表示に切り替わる。このウェブブラウザでは外部サイトの閲覧することもできる。
【００５１】
図８は、ウェブブラウザに表示される操作画面の一例を示す図である。
【００５２】
図８は操作画面をウェブブラウザで全面表示しているので、操作画面のキー入力があった場合、データベースサーバ２００にそのキー入力に応じたコンテンツ（具体的には、複合機１００の制御用の設定ページデータ）の読み出し指示が送られる。データベースサーバ２００は、コンテンツデータベース２３０にそのキー入力に応じたコンテンツが存在する場合に、当該コンテンツを読み出して、複合機１００に送信する。これにより、表示部１３０に表示されている操作画面は、データベースサーバ２００から送信されるコンテンツに従い新しい内容の操作画面に切り替わる。
【００５３】
具体的には、図８の用紙選択キー８０１が押下されると、そのコンテンツの読み出し指示がデータベースサーバ２００に送信され、コンテンツデータベース２３０から「用紙選択キー」に対応する設定ページデータをウェブブラウザ表示部１２０を介して表示部１３０で表示する（図９）。
【００５４】
図８に示すように、ネイティブ画面では表現できないような多彩な操作画面でもウェブブラウザは表示できる。また、ネイティブ画面では、表示面積が限られているので、多数の操作キーの視認性を確保しつつ、画面上に配置することは困難であるが、ウェブブラウザではこれを容易に行うことができる。
【００５５】
図４は、ブラウザ画面表示処理を示すフローチャートである。本処理は主として複合機コントローラ１５０が実行する。
【００５６】
まず、ネットワーク接続部１１０がネットワーク３００を介してデータベースサーバ２００のコンテンツデータベース２３０にコンテンツ（具体的には、複合機１００の制御用の設定ページデータ）の読み出し指示を送信し（ステップＳ４０１）、複合機コントローラ１５０はネットワーク接続部１１０を介してデータベースサーバ２００から返答があったか否かを判別する（ステップＳ４０２）。
【００５７】
ステップＳ４０２の判別の結果、返答がなかった場合は、該判別を繰り返す一方、データベースサーバ２００から返答があった場合は、読み出されたコンテンツ（具体的には、複合機１００の制御用の設定ページデータ）をウェブブラウザ表示部１２０を介して表示部１３０で表示する（ステップＳ４０３）。
【００５８】
次に、キー入力部１６０よりキー入力があったか否かを判別する（ステップＳ４０４）。ステップＳ４０４において、キー入力があった場合に初めて、キー入力に応じたコンテンツ（具体的には、複合機１００の制御用の設定ページデータ）の読み出し指示をネットワーク３００を介してデータベースサーバ２００のコンテンツデータベース２３０に送信し（ステップＳ４０５）、データベースサーバ２００からキー入力に応じたコンテンツの返答があったか否かを判別する（ステップＳ４０６）。
【００５９】
ステップＳ４０６の判別の結果、キー入力に応じたコンテンツの返答があった場合には、そのコンテンツをウェブブラウザ表示部１２０を介して表示部１３０で表示するために、ステップＳ４０３に戻る。一方、キー入力に応じたコンテンツの返答がない場合には、動作制御用データベース２４０からの制御データを取得すべきか否かを判別する（ステップＳ４０７）。動作制御用データベース２４０からの制御データを取得すべきか否かの判断基準は、キー入力部１６０を介して複合機コントローラ１５０に設定できるように構成されており、例えば、モードメモリの登録や設定、又はコピーモードの設定を行う等の場合には動作制御用データベース２４０からの制御データを取得するように設定する。
【００６０】
ステップＳ４０７の判別の結果、動作制御用データベース２４０からの制御データを取得すべきでない場合には、本処理を終了する一方、動作制御用データベース２４０からの制御データを取得すべきである場合には、ネットワーク３００を介して動作制御用データベース２４０から制御データの取得を行い（ステップＳ４０８）、取得した制御データを使用して複合機コントローラ１５０の制御を実行し（ステップＳ４０９）、本処理を終了する。
【００６１】
以上説明したように、本実施の形態によれば、ウェブブラウザにモードメモリの登録や設定、またはコピーモードの設定を行うための複合機１００の制御用の設定ページデータを表示すると共に、その設定ページデータの表示により当該ウェブブラウザ上で複合機１００の制御用の各種の設定ができるので、ウェブブラウザを複合機１００の制御画面に利用し、入力操作の簡易化を図ることができる。また、ネイティブ画面では表現できないような多彩な画面でもウェブブラウザで表示できる。
【００６２】
上記実施の形態では、複合機１００とデータベースサーバ２００は別々の装置として構成されていたが、複合機１００がサーバコントローラ２２０、コンテンツデータベース２３０及び動作制御用データベース２４０を備えるように構成して、データベースサーバ２００の機能を包含するようにしてもよい。かかる場合には、キー入力部１６０から複合機１００の制御用の設定ページデータの読み出し指示が入力され、複合機コントローラ１５０は当該読み出し指示を受信し、コンテンツデータベース２３０（記憶手段）に格納されている複合機１００の制御用の設定ページデータをウェブブラウザ表示部１２０及び表示切替部１４０を介して表示部１３０に表示させる。これにより、ウェブブラウザ上に複合機１００の制御用の設定ページデータが表示される。そして、ウェブブラウザに表示された設定ページデータ上で複合機１００の制御用の設定をキー入力部１６０又は表示部１６０を介して入力することにより、上記実施の形態と同様の効果を奏することができる。
【００６３】
また、本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００６４】
この場合、記憶媒体から読み出されたプログラムコード自体が前述した実施の形態の機能を実現することになり、そのプログラムコード及び該プログラムコードを記憶した記憶媒体は本発明を構成することになる。
【００６５】
また、コンピュータが読み出したプログラムコードを実行することにより、前述した実施の形態の機能が実現されるだけでなく、そのプログラムコードの指示に基づき、コンピュータ上で稼働しているオペレーティングシステム（ＯＳ）などが実際の処理の一部または全部を行い、その処理によって前述した実施の形態の機能が実現される場合も含まれることは言うまでもない。
【００６６】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施の形態の機能が実現される場合も含まれることは言うまでもない。
【００６７】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００６８】
プログラムを供給する記録媒体としては、例えば、フロッピー（登録商標）ディスク、ハードディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等を用いることができる。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００６９】
【図１】本発明の実施の形態に係る画像形成装置を含むシステムの構成図である。
【図２】図１の複合機１００の断面図である。
【図３】ネイティブ画面表示部１９０又はウェブブラウザ表示部１２０からのデータを表示部１３０で表示する処理を示すフローチャートである。
【図４】ブラウザ画面表示処理を示すフローチャートである。
【図５】複合機１００の詳細なハードウェア構成を示す図である。
【図６】表示部１３０に表示されるネイティブ画面の一例を示す図である。
【図７】表示部１３０に表示されるウェブブラウザの一例を示す図である。
【図８】ウェブブラウザに表示される操作画面の一例を示す図である。
【図９】用紙選択キーが押下された後に、ウェブブラウザに表示される操作画面の一例を示す図である。
【符号の説明】
【００７０】
１００  複合機
１１０  ネットワーク接続部
１２０  ウェブブラウザ
１３０  表示部
１４０  表示切り替え部
１５０  複合機コントローラ
１６０  キー入力部
１７０  スキャナ
１８０  プリンタ
１９０  ネイティブ画面表示部
２００  データベースサーバ
２１０  ネットワーク接続部
２２０  サーバコントローラ
２３０  コンテンツデータベース
２４０  動作制御用データベース
３００  ネットワーク
【図１】
2006053905.tif 000003
【図２】
2006053905.tif 000004
【図３】
2006053905.tif 000005
【図４】
2006053905.tif 000006
【図５】
2006053905.tif 000007
【図６】
2006053905.tif 000008
【図７】
2006053905.tif 000009
【図８】
2006053905.tif 000010
【図９】
2006053905.tif 000011